(57)【要約】      （修正有）【課題】外縁部に隙間が無い状態でサッシ枠に取り付けることができ、屋外側から取り外されてしまうことを防止することのできる防犯スクリーン装置を提供する。【解決手段】防犯スクリーン装置１は、サッシ枠５００に対して固定される枠体（左側枠体２５０等）と、サッシ枠の開口を覆った状態で枠体に対して固定される防犯パネル１００と、を備えている。防犯パネルは、平板部１１０の外周部分から屋内側に向けて伸びる左側リブ１２０を有している。左側枠体２５０は、左側リブに当接して防犯パネルの外周を支持する第一支持面と、平板部のうち外周部分の近傍に屋外側から当接し、第一支持面と左側リブとの当接個所を屋外側から覆うように形成された第一リブと、を有している。左側枠体に対する防犯パネルの固定は、左側リブを左側枠体に対して締結固定することにより行われている。【選択図】図１
2014091978.tif 000002
【特許請求の範囲】
【請求項１】
サッシ枠及び障子を備えた窓に対して取り付けられる防犯スクリーン装置において、
前記サッシ枠に対して固定される枠体と、
複数の孔が形成された平板部を有し、当該平板部が前記サッシ枠の開口を覆った状態で前記枠体に対して固定される防犯パネルと、を備え、
前記防犯パネルは、前記平板部の外周部分から屋内側に向けて伸びる側板を有しており、
前記枠体は、
前記側板に当接して前記防犯パネルの外周を支持する第一支持面と、
前記平板部のうち外周部分の近傍に屋外側から当接し、前記第一支持面と前記側板との当接個所を屋外側から覆うように形成された第一リブと、を有するものであり、
前記枠体に対する前記防犯パネルの固定は、前記側板を前記枠体に対して締結固定することにより行われていることを特徴とする防犯スクリーン装置。
【請求項２】
前記側板には、屋内側の端部から前記平板部と平行に伸びる鍔部が形成されており、
前記枠体は、前記鍔部と対向する位置に形成された第二リブを有しており、
前記枠体に対する前記防犯パネルの固定は、前記側板のうち前記鍔部を前記第二リブに対して締結固定することにより行われていることを特徴とする、請求項１に記載の防犯スクリーン装置。
【請求項３】
前記枠体は、前記サッシ枠に対して固定される部分である本体部と、前記本体部から屋外側に向けて突出するように形成された平板状の支持部と、を有しており、
前記第一支持面及び前記第一リブは前記支持部に形成されていることを特徴とする、請求項２に記載の防犯スクリーン装置。
【請求項４】
前記第一支持面は筒状体の一側面に形成されていることを特徴とする、請求項１に記載の防犯スクリーン装置。
【発明の詳細な説明】
【技術分野】
【０００１】
本発明は、サッシ枠及び障子を備えた窓に対して取り付けられる防犯スクリーン装置に関する。
【背景技術】
【０００２】
障子を開放した状態の窓から人（泥棒など）に浸入されてしまうこと等を防止するために、窓に対して防犯スクリーン装置を取り付けることが行われている。このような防犯スクリーン装置は、サッシ枠の開口を例えば面格子で覆ったり、パンチングメタルで覆ったりすることにより、窓の通気性や透光性等を確保しつつ防犯性を高めるものである。すなわち、このような防犯スクリーン装置を窓に取り付けると、障子を開放して屋外からの通風を十分に確保した状態であっても、防犯性が損なわれることがない。
【０００３】
特にパンチングメタルで開口を覆う構成の防犯スクリーン装置は、人の侵入のみならず危険物や破壊工具等の侵入をも防止することができるため、より防犯性が高い。下記特許文献１には、建物の開口の内側にパンチングメタルを嵌め込み、ビスで固定した構成の防犯スクリーン装置が記載されている。
【先行技術文献】
【特許文献】
【０００４】
【特許文献１】特開２００３−１４８０６０号公報
【発明の概要】
【発明が解決しようとする課題】
【０００５】
防犯性の観点から当然に、防犯スクリーン装置には、屋外側から容易には取り外されたり破壊されたりしないことが求められる。しかしながら、上記特許文献１に記載された防犯スクリーン装置においては、パンチングメタルの外周部と建物の開口（縁部）との間に隙間が生じやすいため、当該隙間にドライバーなどの工具が挿入されてこじ開けられたり、パンチングメタルが破壊されたりする恐れがあった。
【０００６】
更に、上記特許文献１に記載された防犯スクリーン装置では、パンチングメタルを締結固定するビスの頭部が屋外側に露出している。このため、当該ビスが屋外側から容易に外され、パンチングメタルが取り外されてしまう可能性があった。尚、屋外側からビスが外されてしまうのを防止するために、ビスの頭部をパンチングメタルの屋内側に配置することも考えられる。しかしながら、この場合でもパンチングメタルの取り付け方法（ビスの締結個所等）は屋外側から容易に視認されてしまうため、例えば締結個所を集中的に攻撃して破壊する等により、パンチングメタルが比較的容易に取り外されてしまう可能性がある。
【０００７】
本発明はこのような課題に鑑みてなされたものであり、その目的は、外縁部に隙間が無い状態でサッシ枠に取り付けることができ、屋外側から取り外されてしまうことを防止することのできる防犯スクリーン装置を提供することにある。
【課題を解決するための手段】
【０００８】
上記課題を解決するために本発明に係る防犯スクリーン装置は、サッシ枠及び障子を備えた窓に対して取り付けられる防犯スクリーン装置において、前記サッシ枠に対して固定される枠体と、複数の孔が形成された平板部を有し、当該平板部が前記サッシ枠の開口を覆った状態で前記枠体に対して固定される防犯パネルと、を備え、前記防犯パネルは、前記平板部の外周部分から屋内側に向けて伸びる側板を有しており、前記枠体は、前記側板に当接して前記防犯パネルの外周を支持する第一支持面と、前記平板部のうち外周部分の近傍に屋外側から当接し、前記第一支持面と前記側板との当接個所を屋外側から覆うように形成された第一リブと、を有するものであり、前記枠体に対する前記防犯パネルの固定は、前記側板を前記枠体に対して締結固定することにより行われていることを特徴としている。
【０００９】
本発明に係る防犯スクリーン装置は、サッシ枠に対して固定される枠体と、サッシ枠の開口を覆った状態で枠体に対して固定される防犯パネルとを備えている。防犯パネルは、例えばパンチングメタルのように、複数の孔が形成された平板部を有するものである。当該平板部がサッシ枠の開口を覆った状態となる。
【００１０】
防犯パネルは、平板部の外周部分から屋内側に向けて伸びる側板を有している。このような側板を有しているため、防犯パネルの変形が抑制される。
【００１１】
枠体は、防犯パネルの上記側板に当接して防犯パネルの外周を支持する第一支持面を有している。このような構成により、防犯パネルとこれを支持する枠体との当接個所（当接面）は、平板部の外周部分から屋内側に向かって伸びた状態となっている。
【００１２】
枠体に対する防犯パネルの固定は、防犯パネルの側板を枠体に対して締結固定することにより行われている。このように固定された防犯パネルを屋外側から取り外すためには、第一支持面と側板との当接個所をまずこじ開けてから、平板部よりも屋内側に位置する締結個所にアクセスする必要がある。このため、防犯パネルを屋外側から取り外すためには多大な手間と時間とを要することとなる。
【００１３】
本発明では更に、枠体が第一リブを有している。第一リブは、防犯パネルの平板部のうち外周部分の近傍に屋外側から当接するように形成されており、第一支持面と側板との当接個所を屋外側から覆っている。このように形成された第一リブが工具等の侵入を妨げるため、第一支持面と側板との当接個所をこじ開ける作業は更に困難なものとなる。
【００１４】
また、第一支持面と側板との当接個所を第一リブが屋外側から覆うため、防犯パネルの固定方法（締結するビスの位置等）が屋外側から視認されてしまうことがない。その結果、屋内へ侵入しようとする者（泥棒など）は、防犯パネルを取り外すための具体的な方法や攻撃箇所等を特定することができず、実際の作業に着手する前の段階で侵入を断念する可能性が高くなる。すなわち、犯罪が未然に防止される可能性が高くなる。
【００１５】
また本発明に係る外付け防犯スクリーン装置では、前記側板には、屋内側の端部から前記平板部と平行に伸びる鍔部が形成されており、前記枠体は、前記鍔部と対向する位置に形成された第二リブを有しており、前記枠体に対する前記防犯パネルの固定は、前記側板のうち前記鍔部を前記第二リブに対して締結固定することにより行われていることも好ましい。
【００１６】
この好ましい態様では、防犯パネルの側板に、屋内側の端部から平板部と平行に伸びる鍔部が形成されている。また、枠体は、当該鍔部と対向する位置に形成された第二リブを有している。枠体に対する防犯パネルの固定は、鍔部を第二リブに対して締結固定することにより行われている。
【００１７】
すなわち、防犯パネルの側板は、枠体の第一支持面と当接している部分においてではなく、それよりも更に屋内側の第二リブと当接している部分（鍔部）において、枠体に締結固定されている。このように固定された防犯パネルを屋外側から取り外すためには、第一支持面と側板との当接個所をまずこじ開けてから締結個所にアクセスする必要がある。しかし、締結個所は第一支持面と側板との当接個所よりも更に屋内側の位置に存在するため、締結個所にアクセスして破壊する等の行為を行うことは困難なものとなっている。
【００１８】
更に、鍔部は、防犯パネルの側板から平板部と平行に伸びるように形成されたものであるから、鍔部と第二リブとの締結個所は、第一支持面と同一の平面上には存在しない。このため、第一支持面と側板との間に工具等を挿入したとしても、締結個所にアクセスすることは更に困難なものとなっている。その結果、防犯パネルを屋外側から取り外すためには多大な手間と時間とを要することとなり、防犯スクリーン装置の防犯性は更に高いものとなる。
【００１９】
また本発明に係る外付け防犯スクリーン装置では、前記枠体は、前記サッシ枠に対して固定される部分である本体部と、前記本体部から屋外側に向けて突出するように形成された平板状の支持部と、を有しており、前記第一支持面及び前記第一リブは前記支持部に形成されていることも好ましい。
【００２０】
屋外側から防犯パネルを取り外すためには、枠体と防犯パネルとの間に棒状の工具（例えばドライバー）の先端を挿入し、当該工具を梃のように利用して締結個所を破壊することが考えられる。具体的には、第一支持面と側板との当接部分に工具の先端をまず挿入し、工具の先端を第二リブに当接させる。その後、工具のうち屋外側の部分を枠体に向かって倒すように力を加えると、工具と第一リブとの接触部分が支点となり、工具の先端が作用点となって、側板のうち鍔部が形成されている部分の近傍に大きな力が加えられることとなる。このような力が加えられると、鍔部と第二リブとの締結個所が破壊され、屋外側から防犯パネルが取り外されてしまう可能性がある。
【００２１】
この好ましい態様では、枠体が、サッシ枠に対して固定される部分である本体部と、当該本体部から屋外側に向けて突出するように形成された平板状の支持部と、を有しており、第一支持面は支持部に形成されている。
【００２２】
上記のように、工具が梃のように利用される場合には、工具と第一リブとの接触部分が梃の支点となるため、第一リブにも比較的大きな力が加えられる。第一リブが形成されている支持部は平板状であるため、上記のような力が加えられると、支持部は第一リブが防犯パネルから離れる方向に（倒れるように）変形することとなる。工具によって側板に大きな力が加えられるよりも前に枠体の支持部が変形するため、鍔部と第二リブとの締結個所には、破壊されてしまう程の大きな力が加えられにくい。その結果、屋外側から防犯パネルが取り外されてしまう可能性が低減される。
【００２３】
また本発明に係る外付け防犯スクリーン装置では、前記第一支持面は筒状体の一側面に形成されていることも好ましい。
【００２４】
この好ましい態様では、第一支持面は筒状体の一側面に形成されている。このため、枠体のうち第一支持面が形成されている部分の剛性を高め、防犯パネルを強固に支持することができる。また、枠体に対する防犯パネルの締結固定を、第一支持面に対して挿通されるビスによって行う場合には、当該ビスの一端が平板部の屋内側に配置され、他端が筒状体の内部に配置されることとなる。ビスの全体が隠蔽されるため、屋外側からビスの位置等を視認されることがなく、防犯性をより高めることが可能となる。
【発明の効果】
【００２５】
本発明によれば、外縁部に隙間が無い状態でサッシ枠に取り付けることができ、屋外側から取り外されてしまうことを防止することのできる防犯スクリーン装置を提供することができる。
【図面の簡単な説明】
【００２６】
【図１】本発明の第一実施形態に係る防犯スクリーン装置を、引き違い窓に取り付けた状態を示す断面図である。
【図２】本発明の第一実施形態に係る防犯スクリーン装置を、引き違い窓に取り付けた状態を示す断面図である。
【図３】図１に示した防犯スクリーン装置のうち、枠体と防犯パネルとの締結部分を拡大して示した図である。
【図４】本発明の第二実施形態に係る防犯スクリーン装置のうち、枠体と防犯パネルとの締結部分を拡大して示した図である。
【図５】本発明の第三実施形態に係る防犯スクリーン装置のうち、枠体と防犯パネルとの締結部分を拡大して示した図である。
【図６】図５に示した防犯スクリーン装置をドライバーで破壊しようとした場合における、枠体の変形を説明するための図である。
【図７】本発明の第四実施形態に係る防犯スクリーン装置のうち、枠体と防犯パネルとの締結部分を拡大して示した図である。
【発明を実施するための形態】
【００２７】
以下、添付図面を参照しながら本発明の実施の形態について説明する。説明の理解を容易にするため、各図面において同一の構成要素に対しては可能な限り同一の符号を付して、重複する説明は省略する。
【００２８】
図１及び図２は、いずれも、本発明の第一実施形態に係る防犯スクリーン装置１を、引き違い窓ＷＤに取り付けた状態を示す断面図である。このうち、図１は水平面で切断した場合の断面を上面視で示している。図２は建物外壁ＷＬに対して垂直且つ鉛直方向に沿った面で切断した場合の断面を示している。
【００２９】
尚、図１においては引き違い窓ＷＤの上側（防犯パネル１００が配置されている側）が屋外側であり、下側が屋内側である。図２においては引き違い窓ＷＤの左側が屋外側であり、右側が屋内側である。
【００３０】
以下の説明においては、特に断らない限り「上」とは鉛直上方のことを示し、「下」とは鉛直下方のことを示す。また、「右」とは屋内側から屋外側を向いた状態における右側のことを示し、「左」とは屋内側から屋外側を向いた状態における左側のことを示す。
【００３１】
図１及び図２に示したように、防犯スクリーン装置１が取り付けられている引き違い窓ＷＤは、建物外壁ＷＬに形成された開口の縁に対して取り付けられたサッシ枠５００と、サッシ枠５００に対して開閉自在に取り付けられた２枚の障子６００とを備えている。障子６００は、サッシ枠５００に形成されたレールＲＬに沿って左右に移動可能となっており、かかる移動によって引き違い窓ＷＤの開閉が行われる。
【００３２】
防犯スクリーン装置１は、サッシ枠５００のうち障子６００よりも屋外側の部分に取り付けられており、障子６００が開放された状態の引き違い窓ＷＤから人が屋内に侵入すること等を防いでいる。防犯スクリーン装置１は、防犯パネル１００と、枠体２００とを備えている。
【００３３】
防犯パネル１００は、複数の孔が形成された平板部１１０がその大部分を占める矩形のパネルであって、当該平板部１１０がサッシ枠５００の開口を覆っている。平板部１１０は所謂パンチングメタルであって、平坦な金属板に多数の貫通孔が形成された構成となっている。このため、障子６００が開放された状態においてもサッシ枠５００の開口は防犯パネル１００で覆われているが、平板部１１０に形成された貫通孔を通じて外気や日光を屋内に取り込むことが可能となっている。
【００３４】
一方、障子６００が開放された状態の窓から人が侵入することは、防犯パネル１００によって確実に防止される。また、平板部１１０に形成された貫通孔の直径は１．５ｍｍ以下となっており、これにより、人の侵入のみならず虫等の侵入も防止される。また、危険物や破壊工具等の侵入も防止される。
【００３５】
図１に示したように、防犯パネル１００は左右両端が屋内側に向かって垂直に折り曲げられており、平板部１１０の左側端部から屋内側に向けて延びる左側リブ１２０と、平板部１１０の右側端部から屋内側に向けて伸びる右側リブ１３０とを有している。左側リブ１２０及び右側リブ１３０を有することにより、平板部１１０の変形が抑制されている。
【００３６】
図２に示したように、防犯パネル１００の上下両端も屋内側に向かって垂直に折り曲げられており、平板部１１０の上側端部から屋内側に向けて延びる上側リブ１４０と、平板部１１０の下側端部から屋内側に向けて延びる下側リブ１５０とを有している。上側リブ１４０及び下側リブ１５０を有することにより、平板部１１０の変形が更に抑制されている。
【００３７】
枠体２００は防犯パネル１００を固定するための部材であって、サッシ枠５００と防犯パネル１００との間に介在している。すなわち、枠体２００はその一部がサッシ枠５００に固定されており、防犯パネル１００は枠体２００に固定されている。
【００３８】
枠体２００は、上側枠体２１０、下側枠体２３０、左側枠体２５０、及び右側枠体２７０という４つの部品により構成されており、これらが平板部１１０の周縁部分に沿って（上辺、下辺、左辺、右辺の４辺に沿って）全体で矩形の枠を構成するように並べられている。
【００３９】
このうち、左側枠体２５０による防犯パネル１００の固定について、図３を参照しながら説明する。尚、上側枠体２１０、下側枠体２３０、及び右側枠体２７０による防犯パネル１００の固定については、以下に説明する左側枠体２５０の場合と同様であるから、その具体的な説明を省略する。図３は、防犯スクリーン装置１のうち、左側枠体２５０と防犯パネル１００との締結部分を拡大して示した図である。また、左側枠体２５０とサッシ枠５００との締結部分も同図に示している。
【００４０】
図３に示したように、左側枠体２５０は、断面が筒状に形成された金属からなる部材であり、防犯パネル１００の左側端部に沿って配置されている。左側枠体２５０は、鉛直方向に沿って配置される５つの平板（第一平板２５１、第二平板２５２、第三平板２５３、第四平板２５４、第五平板２５５）を有している。
【００４１】
第一平板２５１は、防犯パネル１００の平板部１１０に対して垂直に配置されており、後に説明するように、防犯パネル１００の左側リブ１２０に当接する部分である。
【００４２】
第二平板２５２は、第一平板２５１の屋内側端部から左側に向かって伸びるように配置されている。第二平板２５２は第一平板２５１に対して垂直となっており、その屋内側の面は、サッシ枠５００の屋外側の面に当接している。
【００４３】
第三平板２５３は、第二平板２５２の左側端部から屋外側に向かって伸びるように配置されている。第三平板２５３は第二平板２５２に対して垂直（第一平板２５１と平行）となっている。第三平板２５３が屋外側に向かって伸びる長さは、第一平板２５１が屋外側に向かって伸びる長さよりも短い。従って、第三平板２５３の屋外側端部の位置は、第一平板２５１の屋外側端部の位置よりも屋内側となっている。
【００４４】
第四平板２５４は、第三平板２５３の屋外側端部から、更に屋外側且つ右側に向かって延びるように配置されている。すなわち、第四平板２５４は防犯パネル１００の平板部１１０に対して斜めに配置されており、左側枠体２５０の幅（左右方向に沿った寸法）は、屋外側に行く程狭くなっている。
【００４５】
第五平板２５５は、第四平板２５４の屋外側端部から右側に向かって伸びるように配置されている。第五平板２５５は第一平板２５１に対して垂直（第二平板２５２と平行）となっている。図３に示したように、第五平板２５５は第一平板２５１と接続されているが、第五平板２５５の右側端部は第一平板２５１との接続位置よりも更に右側に位置している。その結果、第五平板２５５のうち第一平板２５１との接続位置よりも右側の部分は、防犯パネル１００の平板部１１０に対して平行な平板状の第一リブＲＢ１を構成している。
【００４６】
サッシ枠５００には、サッシ枠５００に左側枠体２５０を固定するための接続金具５１０が取り付けられている。図３に示したように、接続金具５１０は断面がＬ字形状の金属板であって、屋外側から挿入された皿ビス７２０によってサッシ枠５００に固定されている。このように固定された状態において、接続金具５１０は、サッシ枠５００が開口する縁の部分から屋外側に向けてその一部が突出している。当該部分は、建物外壁ＷＬに対して垂直であって、且つ鉛直方向に沿うように配置されている。
【００４７】
左側枠体２５０は、第二平板２５２がサッシ枠５００のうち屋外側の表面に対して当接し、第一平板２５１が接続金具５１０の（突出部分における）左側側面に対して当接した状態となっている。左側枠体２５０は、第一平板２５１と接続金具５１０（の突出部分）とをビス７００によって締結することで、サッシ枠５００に対して固定されている。ビス７００の頭部７０１は、接続金具５１０の右側側面から右側に向かって突出している。ビス７００の螺子部７０２は、その先端が第一平板２５１から左側に向けて突出しており、左側枠体２５０の内部空間に位置した状態となっている。
【００４８】
第一平板２５１の右側側面には、防犯パネル１００の左側リブ１２０が当接している。換言すれば、第一平板２５１は防犯パネル１００の外周を左側から支持しており、第一平板２５１の右側側面は本発明における第一支持面Ｓ１に該当する。
【００４９】
また、防犯パネル１００の平板部１１０は、その屋外側表面のうち外周部分（左側端部）の近傍が、第一リブＲＢ１の屋内側表面に対して当接している。第一リブＲＢ１は、防犯パネル１００の左側リブ１２０と第一支持面Ｓ１との当接個所を屋外側から覆った状態となっている。
【００５０】
このように配置された防犯パネル１００は、左側リブ１２０と第一平板２５１とをビス７１０によって締結することで、左側枠体２５０に対して固定されている。ビス７１０の頭部７１１は、左側リブ１２０の右側側面から右側に向かって突出している。ビス７１０の螺子部７１２は、その先端が第一平板２５１から左側に向けて突出しており、左側枠体２５０の内部空間に位置した状態となっている。
【００５１】
以上のように、本実施形態に係る防犯スクリーン装置１においては、左側枠体２５０に対する防犯パネル１００の固定は、防犯パネル１００の左側リブ１２０（側板）を左側枠体２５０に対して締結固定することにより行われている。締結に用いられるビス７１０は屋外側に露出していないため、防犯パネル１００を屋外側から取り外すためには、第一支持面Ｓ１と左側リブ１２０との当接個所をまずこじ開けてから、平板部１１０よりも屋内側に位置する締結個所（ビス７１０の位置）にアクセスする必要がある。このため、防犯パネル１００を屋外側から取り外すためには多大な手間と時間とを要することとなる。
【００５２】
本実施形態では更に、左側枠体２５０が第一リブＲＢ１を有している。第一リブＲＢ１は、平板部１１０の屋外側表面のうち外周部分（左側端部）の近傍に屋外側から当接するように形成されており、第一支持面Ｓ１と左側リブ１２０との当接個所を屋外側から覆っている。このように形成された第一リブＲＢ１が工具等の侵入を妨げるため、第一リブＲＢ１と左側リブ１２０との当接個所をこじ開ける作業は更に困難なものとなっている。
【００５３】
また、第一支持面Ｓ１と左側リブ１２０との当接個所を第一リブＲＢ１が屋外側から覆うため、防犯パネル１００の固定方法（締結するビス７１０の位置等）が屋外側から視認されてしまうことがない。その結果、屋内へ侵入しようとする者（泥棒など）は、防犯パネル１００を取り外すための具体的な方法や攻撃箇所等を特定することができず、実際の作業に着手する前の段階で侵入を断念する可能性が高くなる。すなわち、防犯スクリーン装置１においては、犯罪が未然に防止される可能性が高くなっている。
【００５４】
また、防犯パネル１００の外周を支持する第一支持面Ｓ１は、筒状体をなす左側枠体２５０の一側面に形成されている。このため、第一支持面Ｓ１が形成されている部分の剛性が高くなっており、防犯パネル１００を強固に支持することが可能となっている。更に、本実施形態においては、筒状体をなす左側枠体２５０に対する防犯パネル１００の締結固定を、第一支持面Ｓ１に対して垂直に挿通されるビス７１０によって行っている。その結果、当該ビス７１０の一端（頭部７１１）が平板部１１０の屋内側に配置され、他端（螺子部７１２の先端）が筒状体（左側枠体２５０）の内部に配置されている。このような構成によりビス７１０の全体が隠蔽されているため、屋外側からビス７１０の位置等を視認されることがなく、防犯性がより高くなっている。
【００５５】
続いて、本発明の第二実施形態に係る防犯スクリーン装置１ａについて説明する。防犯スクリーン装置１ａは、防犯パネル１００ａの形状、及び、枠体２００ａの形状においてのみ防犯スクリーン装置１と異なっており、他については防犯スクリーン装置１と同様である。従って、以下では防犯スクリーン装置１との相違点についてのみ説明することとし、他の説明については省略する。
【００５６】
図４を参照しながら説明する。図４は、防犯スクリーン装置１ａのうち、左側枠体２５０ａと防犯パネル１００ａとの締結部分を拡大して示した図である。すなわち、防犯スクリーン装置１ａのうち、図３に示された防犯スクリーン装置１の一部と対応する部分を示した図である。
【００５７】
防犯パネル１００ａは、平板部１１０ａの形状や貫通孔の配置については、防犯パネル１００と同様である。また、平板部１１０ａの端部から屋外側に向かって伸びる左側リブ１２０ａ、右側リブ１３０ａ、上側リブ１４０ａ、及び下側リブ１５０ａを有する点についても、防犯パネル１００と同様である。
【００５８】
一方、防犯パネル１００ａは、左側リブ１２０ａに対し、その屋内側端部から右側に向かって伸びる左側鍔部１２５ａが形成されている点において、防犯パネル１００と異なっている。同様に、右側リブ１３０ａには、その屋内側端部から左側に向かって伸びる右側鍔部１３５ａが形成されている。更に、上側リブ１４０ａには、その屋内側端部から下側に向かって伸びる上側鍔部１４５ａが形成されており、下側リブ１５０ａには、その屋内側端部から上側に向かって伸びる下側鍔部１５５ａが形成されている。左側鍔部１２５ａ、右側鍔部１３５ａ、上側鍔部１４５ａ、及び下側鍔部１５５ａは、いずれも平板部１１０ａに対し平行となっている。
【００５９】
左側枠体２５０ａは、第一平板２５１ａの右側側面から右側に向かって伸びる平板状の第二リブＲＢ２ａが形成されている点において、左側枠体２５０と異なっている。第二リブＲＢ２ａは、第一リブＲＢ１ａと平行に形成されている。また、第一リブＲＢ１ａと第二リブＲＢ２ａの間隔は、平板部１１０ａの屋外側表面から左側鍔部１２５ａの屋内側表面までの距離と略同一となっている。
【００６０】
先に説明した防犯スクリーン装置１の場合と同様に、第一平板２５１ａの右側側面には、防犯パネル１００ａの左側リブ１２０ａが当接している。第一平板２５１ａは防犯パネル１００ａの外周を左側から支持しており、第一平板２５１ａの右側側面は本発明における第一支持面Ｓ１ａに該当する。
【００６１】
また、防犯パネル１００ａの平板部１１０ａは、その屋外側表面のうち外周部分（左側端部）の近傍が、第一リブＲＢ１ａの屋内側表面に対して当接している。第一リブＲＢ１ａは、防犯パネル１００ａの左側リブ１２０ａと第一支持面Ｓ１ａとの当接個所を屋外側から覆った状態となっている。
【００６２】
本実施形態においては更に、左側鍔部１２５ａの屋内側表面が、第二リブＲＢ２ａの屋外側表面に当接している。防犯パネル１００ａは、左側鍔部１２５ａと第二リブＲＢ２ａとをビス７１０ａによって締結することで、左側枠体２５０ａに対して固定されている。ビス７１０ａの頭部７１１ａは、第二リブＲＢ２ａの屋内側面から屋内側に向かって突出している。ビス７１０ａの螺子部７１２ａは、その先端が左側鍔部１２５ａから屋外側に向けて突出しており、左側鍔部１２５ａと平板部１１０ａとの間に配置されている。
【００６３】
尚、本実施形態においても、上側枠体２１０ａ等による防犯パネル１００ａの固定方法は左側枠体２５０ａの場合と同様であるから、その具体的な説明を省略する。
【００６４】
以上のように、本実施形態に係る防犯スクリーン装置１ａにおいては、左側リブ１２０ａは、左側枠体２５０ａの第一支持面Ｓ１ａと当接している部分においてではなく、それよりも更に屋内側の第二リブＲＢ２ａと当接している部分（左側鍔部１２５ａ）において、左側枠体２５０ａに締結固定されている。このように固定された防犯パネル１００ａを屋外側から取り外すためには、第一支持面Ｓ１ａと左側リブ１２０ａとの当接個所をまずこじ開けてから締結個所（ビス７１０ａの位置）にアクセスする必要がある。しかし、締結個所は第一支持面Ｓ１ａと左側リブ１２０ａとの当接個所よりも更に屋内側の位置に存在するため、締結個所にアクセスして破壊する等の行為を行うことは困難なものとなっている。
【００６５】
更に、左側鍔部１２５ａは、左側リブ１２０ａの屋内側端部から平板部１１０ａと平行に伸びるように形成されたものであるから、左側鍔部１２５ａと第二リブＲＢ２ａとの締結個所（ビス７１０ａの位置）は、第一支持面Ｓ１ａと同一の平面上には存在しない。このため、第一支持面Ｓ１ａと左側リブ１２０ａとの間に工具等を挿入したとしても、締結個所にアクセスすることは更に困難なものとなっている。その結果、防犯パネル１００ａを屋外側から取り外すためには多大な手間と時間とを要することとなり、防犯スクリーン装置１ａの防犯性は更に高いものとなっている。
【００６６】
続いて、本発明の第三実施形態に係る防犯スクリーン装置１ｂについて説明する。防犯スクリーン装置１ｂは、枠体２００ｂの形状においてのみ防犯スクリーン装置１ａと異なっており、他については防犯スクリーン装置１ａと同様である。従って、以下では防犯スクリーン装置１ａとの相違点についてのみ説明することとし、他の説明については省略する。
【００６７】
図５は、防犯スクリーン装置１ｂのうち、左側枠体２５０ｂと防犯パネル１００ｂとの締結部分を拡大して示した図である。すなわち、防犯スクリーン装置１ｂのうち、図４に示された防犯スクリーン装置１ａの一部と対応する部分を示した図である。
【００６８】
図５に示したように、左側枠体２５０ｂは、断面が筒状に形成された金属からなる筒状部２５６ｂ（本体部）を有している。当該筒状部２５６ｂは、鉛直方向に沿って配置される５つの平板（第一平板２５１ｂ、第二平板２５２ｂ、第三平板２５３ｂ、第四平板２５４ｂ、第五平板２５５ｂ）を有している。
【００６９】
第一平板２５１ｂは、防犯パネル１００ｂの平板部１１０ｂに対して垂直に配置されており、第一実施形態における第一平板２５１と同様に、防犯パネル１００ｂの左側リブ１２０ｂに当接する部分である。
【００７０】
第二平板２５２ｂは、第一平板２５１ｂの屋内側端部から左側に向かって伸びるように配置されている。第二平板２５２ｂは第一平板２５１ｂに対して垂直となっており、その屋内側の面は、サッシ枠５００の屋外側の面に当接している。
【００７１】
第三平板２５３ｂは、第二平板２５２ｂの左側端部から屋外側に向かって伸びるように配置されている。第三平板２５３ｂは第二平板２５２ｂに対して垂直（第一平板２５１ｂと平行）となっている。第三平板２５３ｂが屋外側に向かって伸びる長さは、第一平板２５１ｂが屋外側に向かって伸びる長さよりも短い。従って、第三平板２５３ｂの屋外側端部の位置は、第一平板２５１ｂの屋外側端部の位置よりも屋内側となっている。
【００７２】
第四平板２５４ｂは、第三平板２５３ｂの屋外側端部から、更に屋外側且つ右側に向かって延びるように配置されている。すなわち、第四平板２５４ｂは防犯パネル１００ｂの平板部１１０ｂに対して斜めに配置されており、筒状部２５６ｂの幅（左右方向に沿った寸法）は、屋外側に行く程狭くなっている。
【００７３】
第五平板２５５ｂは、第四平板２５４ｂの屋外側端部から右側に向かって伸びるように配置されている。第五平板２５５ｂは第一平板２５１ｂに対して垂直（第二平板２５２ｂと平行）となっている。図５に示したように、第五平板２５５ｂは第一平板２５１ｂと接続されている。
【００７４】
左側枠体２５０ｂは、第二平板２５２ｂがサッシ枠５００のうち屋外側の表面に対して当接し、第一平板２５１ｂが接続金具５１０の（突出部分における）左側側面に対して当接した状態となっている。左側枠体２５０ｂは、第一平板２５１ｂと接続金具５１０とをビス７００ｂによって締結することで、サッシ枠５００に対して固定されている。ビス７００ｂの頭部７０１ｂは、接続金具５１０の右側側面から右側に向かって突出している。ビス７００ｂの螺子部７０２ｂは、その先端が第一平板２５１ｂから左側に向けて突出しており、筒状部２５６ｂの内部空間に位置した状態となっている。
【００７５】
筒状部２５６ｂのうち、第一平板２５１ｂと第五平板２５５ｂとの接合部分には、屋外側に向かって突出する平板状の支持板２５７ｂが形成されている。支持板２５７ｂは第一平板２５１ｂと平行であり、且つ第一平板２５１ｂとほぼ同一平面上に位置している。
【００７６】
支持板２５７ｂの屋外側端部には、右側に向かって伸びる平板状の第一リブＲＢ１ｂが形成されている。また、支持板２５７ｂの屋内側端部には、右側に向かって伸びる平板状の第二リブＲＢ２ｂが形成されている。第一リブＲＢ１ｂ及び第二リブＲＢ２ｂは、いずれも第二平板２５２ｂと平行となるように形成されている。第一リブＲＢ１ｂと第二リブＲＢ２ｂの間隔は、平板部１１０ｂの屋外側表面から左側鍔部１２５ｂの屋内側表面までの距離と略同一となっている。
【００７７】
支持板２５７ｂの右側側面には、防犯パネル１００ｂの左側リブ１２０ｂが当接している。換言すれば、支持板２５７ｂは防犯パネル１００ｂの外周を左側から支持しており、支持板２５７ｂの右側側面は本発明における第一支持面Ｓ１ｂに該当する。
【００７８】
また、防犯パネル１００ｂの平板部１１０ｂは、その屋外側表面のうち外周部分（左側端部）の近傍が、第一リブＲＢ１ｂの屋内側表面に対して当接している。第一リブＲＢ１ｂは、防犯パネル１００ｂの左側リブ１２０ｂと第一支持面Ｓ１ｂとの当接個所を屋外側から覆った状態となっている。
【００７９】
本実施形態においては更に、左側鍔部１２５ｂの屋内側表面が、第二リブＲＢ２ｂの屋外側表面に当接している。防犯パネル１００ｂは、左側鍔部１２５ｂと第二リブＲＢ２ｂとをビス７１０ｂによって締結することで、左側枠体２５０ｂに対して固定されている。ビス７１０ｂの頭部７１１ｂは、第二リブＲＢ２ｂの屋内側面から屋内側に向かって突出している。ビス７１０ｂの螺子部７１２ｂは、その先端が左側鍔部１２５ｂから屋外側に向けて突出しており、左側鍔部１２５ｂと平板部１１０ｂとの間に配置されている。
【００８０】
尚、本実施形態においても、上側枠体２１０ｂ等による防犯パネル１００ｂの固定方法は左側枠体２５０ｂの場合と同様であるから、その具体的な説明を省略する。
【００８１】
本実施形態に係る防犯スクリーン装置１ｂは、左側枠体２５０ｂと防犯パネル１００ｂとの間に棒状の工具（例えばドライバー）の先端を挿入してこじ開けられたような場合であっても、ビス７１０ｂによる締結個所が破壊されにくくなっている。これについて、図６を参照しながら説明する。図６は、第一支持面Ｓ１ｂに沿ってドライバー８００が挿入された状態を示している。
【００８２】
防犯パネル１００ｂを取り外して引き違い窓ＷＤから屋内に侵入しようとする者（泥棒など。以下、侵入者という）は、図６に示したようにドライバー８００を挿入し、まずドライバー８００の先端８０１を第二リブＲＢ２ｂに当接させる。このとき、ドライバー８００の側面が第一リブＲＢ１ｂの右側端部に当接した状態となっている。
【００８３】
続いて、侵入者はドライバー８００のうち屋外側の部分（第一リブＲＢ１ｂに当接した部分よりも屋外側の部分）を、左側枠体２５０ｂに向かって（矢印ＡＲ１で示した向きに）倒すように力を加える。これにより、第一リブＲＢ１ｂの右側端部が梃の支点となり、ドライバー８００の先端８０１が梃の作用点となる。
【００８４】
このような梃の原理により、ドライバー８００の先端８０１が、左側鍔部１２５ｂを右側に向かって押すように力を加える。このような力を利用して、侵入者はビス７１０ｂの締結部分を破壊しようとする。
【００８５】
しかしながら、本実施形態においては、防犯パネル１００ｂの外周を支持する第一支持面Ｓ１ｂが、筒状部２５６ｂ（本体部）から屋外側に向けて突出するように形成された平板状の支持板２５７ｂに形成されている。このため、梃の支点となる第一リブＲＢ１ｂがドライバー８００から力を受けた際、支持板２５７ｂは当該力によって左側に倒れるように（第一リブＲＢ１ｂが防犯パネル１００ｂから離れる方向に）変形してしまう。
【００８６】
このように、侵入者がドライバー８００を梃のように利用しても、左側鍔部１２５ｂに大きな力が加えられるよりも前に支持板２５７ｂが変形してしまう。その結果、ビス７１０ｂによる締結個所には、破壊されてしまう程の大きな力が加えられにくく、屋外側から防犯パネル１００ｂが取り外されてしまう可能性は低くなっている。
【００８７】
尚、左側枠体２５０ｂでは、断面が筒状に形成された金属からなる筒状部２５６ｂ（本体部）を有していたが、本発明の実施形態としては、本体部の断面を筒状とする場合に限られない。例えば図７に示したように、左側枠体２５０ｂのうちサッシ枠５００に対して面で当接する部分が無いような形状としてもよい。
【００８８】
以上の説明においては、防犯パネル１００等はその左右両端及び上下両端が屋内側に向かって垂直に折り曲げられている例を示した。しかしながら、本発明の実施形態としてはそのような態様に限られず、例えば左右両端のみが屋内側に向かって垂直に折り曲げられていてもよい。すなわち、防犯パネル１００が左側リブ１２０及び右側リブ１３０のみを有しており、上側リブ１４０及び下側リブ１５０は有していないような態様としてもよい。逆に、防犯パネル１００が上側リブ１４０及び下側リブ１５０のみを有しており、左側リブ１２０及び右側リブ１３０は有していないような態様としてもよい。防犯パネル１００ａ、防犯パネル１００ｂについても同様である。
【００８９】
以上、具体例を参照しつつ本発明の実施の形態について説明した。しかし、本発明はこれらの具体例に限定されるものではない。すなわち、これら具体例に、当業者が適宜設計変更を加えたものも、本発明の特徴を備えている限り、本発明の範囲に包含される。例えば、前述した各具体例が備える各要素およびその配置、材料、条件、形状、サイズなどは、例示したものに限定されるわけではなく適宜変更することができる。また、前述した各実施の形態が備える各要素は、技術的に可能な限りにおいて組み合わせることができ、これらを組み合わせたものも本発明の特徴を含む限り本発明の範囲に包含される。
【符号の説明】
【００９０】
１，１ａ，１ｂ：防犯スクリーン装置
１００，１００ａ，１００ｂ：防犯パネル
１１０，１１０ａ，１１０ｂ：平板部
１２０，１２０ａ，１２０ｂ：左側リブ
１２５ａ，１２５ｂ：左側鍔部
１３０，１３０ａ：右側リブ
１３５ａ：右側鍔部
１４０，１４０ａ：上側リブ
１４５ａ：上側鍔部
１５０，１５０ａ：下側リブ
１５５ａ：下側鍔部
２００，２００ａ，２００ｂ：枠体
２１０，２１０ａ，２１０ｂ：上側枠体
２３０：下側枠体
２４０：左側枠体
２５０，２５０ａ，２５０ｂ：左側枠体
２５１，２５１ａ，２５１ｂ：第一平板
２５２，２５２ｂ：第二平板
２５３，２５３ｂ：第三平板
２５４，２５４ｂ：第四平板
２５５：第五平板
２５６ｂ：筒状部
２５７ｂ：支持板
２７０：右側枠体
５００：サッシ枠
５１０：接続金具
６００：障子
７００，７００ｂ：ビス
７０１，７０１ｂ：頭部
７０２，７０２ｂ：螺子部
７１０，７１０ａ，７１０ｂ：ビス
７１１，７１１ａ，７１１ｂ：頭部
７１２，７１２ａ，７１２ｂ：螺子部
７２０：皿ビス
８００：ドライバー
８０１：先端
ＲＢ１，ＲＢ１ａ，ＲＢ１ｂ：第一リブ
ＲＢ２ａ，ＲＢ２ｂ：第二リブ
ＲＬ：レール
Ｓ１，Ｓ１ａ，Ｓ１ｂ：第一支持面
ＷＤ：引き違い窓
ＷＬ：建物外壁
【図１】
2014091978.tif 000003
【図２】
2014091978.tif 000004
【図３】
2014091978.tif 000005
【図４】
2014091978.tif 000006
【図５】
2014091978.tif 000007
【図６】
2014091978.tif 000008
【図７】
2014091978.tif 000009